【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  車両の動作状態を報知する状態報知装置であって、
車両が走行待機状態にあることを検出する検出手段と、
車両が走行待機状態にある場合に所定の楽音を周期的に発生する楽音発生手段と、
前記楽音の発生周期のＮ倍（Ｎは任意の整数）あるいは１／Ｎ倍（Ｎは任意の整数）の表示周期に従って周期的に変化する表示態様の表示を行う表示手段と
を具える車両における状態報知装置。
【請求項２】  車両の動作状態を報知する状態報知装置であって、
車両が走行待機状態にあることを検出する検出手段と、
車両が走行待機状態にある場合に周期的に変化する表示態様の表示を行う表示手段と、
前記表示の表示周期のＮ倍（Ｎは任意の整数）あるいは１／Ｎ倍（Ｎは任意の整数）の発生周期に従って周期的に楽音を発生する楽音発生手段と
を具える車両における状態報知装置。
【請求項３】  車両の動作状態を報知する状態報知装置であって、
車両が走行待機状態にあることを検出する検出手段と、
車両が走行待機状態にある場合に所定の楽音を周期的に発生する楽音発生手段と、
車両が走行待機状態にある場合に周期的に変化する表示態様の表示を行う表示手段と、
前記楽音の発生周期と前記表示態様の変化周期とをＮ倍（Ｎは任意の整数）あるいは１／Ｎ倍（Ｎは任意の整数）の関係で同期させるよう制御する制御手段と
を具える車両における状態報知装置。
【請求項４】  車両に備え付けの各種機器の作動状態を報知する状態報知装置であって、
操作に応じて作動するべき対象の機器の作動状態を検出する状態検出手段と、
前記検出された正常作動状態と異常作動状態とにおいて異なる表示周期でそれぞれの状態に応じた表示態様の表示を行う表示手段と、
前記表示の表示周期のＮ倍（Ｎは任意の整数）あるいは１／Ｎ倍（Ｎは任意の整数）の発生周期に従って周期的に楽音を発生する楽音発生手段と
を具える車両における状態報知装置。
【請求項５】  前記楽音発生手段は、楽音の再生時間長を伸縮することにより前記発生周期を前記表示の表示周期に同期させることを特徴とする請求項２又は４に記載の状態報知装置。
【請求項６】  前記表示手段は、前記表示周期で方向指示器を点滅させることを特徴とする請求項４に記載の状態報知装置。
【請求項７】  コンピュータに、
車両が走行待機状態にあることを検出する手順と、
車両が走行待機状態にある場合に所定の楽音を周期的に発生する手順と、
前記楽音の発生周期のＮ倍（Ｎは任意の整数）あるいは１／Ｎ倍（Ｎは任意の整数）の表示周期に従って周期的に変化する表示態様の表示を行う手順と
を実行させるためのプログラム。
【請求項８】  コンピュータに、
車両が走行待機状態にあることを検出する手順と、
車両が走行待機状態にある場合に周期的に変化する表示態様の表示を行う手順と、
前記表示の表示周期のＮ倍（Ｎは任意の整数）あるいは１／Ｎ倍（Ｎは任意の整数）の発生周期に従って周期的に楽音を発生する手順と
を実行させるためのプログラム。
【請求項９】  コンピュータに、
車両が走行待機状態にあることを検出する手順と、
車両が走行待機状態にある場合に所定の楽音を周期的に発生する手順と、
車両が走行待機状態にある場合に周期的に変化する表示態様の表示を行う手順と、
前記楽音の発生周期と前記表示態様の変化周期とをＮ倍（Ｎは任意の整数）あるいは１／Ｎ倍（Ｎは任意の整数）の関係で同期させるよう制御する手順と
を実行させるためのプログラム。
【請求項１０】  コンピュータに、
操作に応じて作動するべき対象の機器の作動状態を検出する手順と、
前記検出された正常作動状態と異常作動状態とにおいて異なる表示周期でそれぞれの状態に応じた表示態様の表示を行う手順と、
前記表示の表示周期のＮ倍（Ｎは任意の整数）あるいは１／Ｎ倍（Ｎは任意の整数）の発生周期に従って周期的に楽音を発生する手順と
を実行させるためのプログラム。
【手続補正２】
【補正対象書類名】明細書
【補正対象項目名】０００５
【補正方法】変更
【補正の内容】
【０００５】
【課題を解決するための手段】
本発明の請求項１に係る車両における状態報知装置は、車両の動作状態を報知する状態報知装置であって、車両が走行待機状態にあることを検出する検出手段と、車両が走行待機状態にある場合に所定の楽音を周期的に発生する楽音発生手段と、前記楽音の発生周期のＮ倍（Ｎは任意の整数）あるいは１／Ｎ倍（Ｎは任意の整数）の表示周期に従って周期的に変化する表示態様の表示を行う表示手段とを具える。
【手続補正３】
【補正対象書類名】明細書
【補正対象項目名】０００６
【補正方法】変更
【補正の内容】
【０００６】
この発明では、車両が走行待機状態にあることを検出し、車両が走行待機状態にある場合には所定の楽音を周期的に発生する。また、楽音を発生すると共に、前記楽音の発生周期のＮ倍（Ｎは任意の整数）あるいは１／Ｎ倍（Ｎは任意の整数）の表示周期に従って周期的に変化する表示態様の表示を行う。すなわち、車両が走行待機状態であることを聴覚的報知態様路と視覚的報知態様とを対応付けて報知する、従来にない車両における状態報知装置を提供する。これにより、車両が走行待機状態であることを搭乗者に対して視覚及び聴覚の両方で報知することから、搭乗者は直感的に当該車両が走行待機状態にあることを理解することができるようになる。
【手続補正４】
【補正対象書類名】明細書
【補正対象項目名】０００７
【補正方法】変更
【補正の内容】
【０００７】
本発明の請求項２に係る車両における状態報知装置は、車両の動作状態を報知する状態報知装置であって、車両が走行待機状態にあることを検出する検出手段と、車両が走行待機状態にある場合に周期的に変化する表示態様の表示を行う表示手段と、前記表示の表示周期のＮ倍（Ｎは任意の整数）あるいは１／Ｎ倍（Ｎは任意の整数）の発生周期に従って周期的に楽音を発生する楽音発生手段とを具える。これによっても、車両が走行待機状態にあることを搭乗者が直感的に理解することができるようになる。
【手続補正５】
【補正対象書類名】明細書
【補正対象項目名】０００８
【補正方法】変更
【補正の内容】
【０００８】
本発明の請求項３に係る車両における状態報知装置は、車両の動作状態を報知する状態報知装置であって、車両が走行待機状態にあることを検出する検出手段と、車両が走行待機状態にある場合に所定の楽音を周期的に発生する楽音発生手段と、車両が走行待機状態にある場合に周期的に変化する表示態様の表示を行う表示手段と、前記楽音の発生周期と前記表示態様の変化周期とをＮ倍（Ｎは任意の整数）あるいは１／Ｎ倍（Ｎは任意の整数）の関係で同期させるよう制御する制御手段とを具える。こうすることによっても、車両が走行待機状態にあることを搭乗者が直感的に理解することができるようになる。
【手続補正６】
【補正対象書類名】明細書
【補正対象項目名】０００９
【補正方法】変更
【補正の内容】
【０００９】
本発明の請求項４に係る車両における状態報知装置は、車両に備え付けの各種機器の作動状態を報知する状態報知装置であって、操作に応じて作動するべき対象の機器の作動状態を検出する状態検出手段と、前記検出された正常作動状態と異常作動状態とにおいて異なる表示周期でそれぞれの状態に応じた表示態様の表示を行う表示手段と、前記表示の表示周期のＮ倍（Ｎは任意の整数）あるいは１／Ｎ倍（Ｎは任意の整数）の発生周期に従って周期的に楽音を発生する楽音発生手段とを具える。こうすることにより、車両に備え付けの各種機器が操作に応じて正常に動作しているか否かを、搭乗者が直感的に理解することができるようになる。